(57)【要約】      （修正有）【課題】暗い道を歩く学童たちの存在を遠方からでも認識できる事で学童たちを車等から守る学童用安全ライトを提供する。【解決手段】ランドセルに携帯し夜道など暗い場所での事故を緩和するための学童用安全ライトであって、学童用安全ライトのケース２の一面に導光板３を有し、ケース２には、導光板３のエッジに当たるように埋め込まれたＬＥＤ基盤４、５と、学童の動きに合わせてＬＥＤが点滅するように振動センサーを搭載したプリント基板６とが設けられている。また、学童用安全ライトには、プリント基板６へ電力を供給するためのリチュウムイオン電池７と、リチュウムイオン電池を充電するための充電用ジャック８が設けられている。【選択図】図２
0003219643.tif 000002
【実用新案登録請求の範囲】
【請求項１】
学校帰りや塾帰りの学童が暗い夜道を歩く時、車やバイクに気付かれず、事故に遭ってしまう恐れがある。このような危険を回避する為の学童のランドセルや塾カバン等に簡単に脱着可能なＬＥＤ導光板パネルを用いた安全ライトである。これは、振動センサーにより学童の動きに合わせＬＥＤが点滅し、運転者に注意を喚起できる。また、道路標識や案内板に用いられているＬＥＤ導光板パネルを使い本体の面全体が夜でもはっきりくっきりと目立つ安全ライトである。
【請求項２】
電源にはリチュウムイオン電池を使用する。また、プリント基板で昇圧しＬＥＤを点灯させることで低消費電力化することができ、長時間の点滅または点灯ができる。さらに、電池は充電式の為、充電することで何度も使用できる。
【請求項３】
本考案のＬＥＤ導光板パネルを用いた安全ライトのプリント基板に振動センサーとマイコンを搭載することで、学童の一日の歩数をカウントすることができる。これによって肥満予防に対する意識を高めることができる。
【考案の詳細な説明】
【技術分野】
【０００１】安全ライト本体の発光面に、ＬＥＤ導光板パネルを採用する。【０００２】振動センサーと同期させてＬＥＤを点滅させる。またそれを用いて、利用者の歩数をカウントする。【０００３】リチュウムイオン電池で駆動し、充電機能を備えている。
【背景技術】
【０００４】学童は学校の帰りや、塾の帰りが暗くなることが多く、地方では車での送り迎えが日常化している。【０００５】暗い夜道に歩行者の存在を運転手などに知らせることで交通事故を軽減させるためには、従来のＬＥＤのみを用いた安全ライトではなく、道路標識や案内板に用いられているＬＥＤ導光板パネルを用いた安全ライトのがより遠方からも目立たせることができる。【０００６】地方では肥満対策として自治体で万歩計を支給し学童に持たせ、できるだけ通学は徒歩で行う動きが出てきている。【０００７】以上のことから、学童が暗い帰り道に安心して道路を歩くことができ、一日の歩数がわかることで肥満予防にもなる。
【考案の概要】
【考案が解決しようとする課題】
【０００８】以上の問題に鑑みて、本考案は遠くからでも学童が存在している事を周りの人が認識できる事を第一条件とし、現状のＬＥＤライトでは解決できない部分の対応と、振動センサーを利用して学童の運動量もわかり歩くことが楽しくなる製品化を目的とする。
【問題を解決するための手段】
【０００９】本考案のＬＥＤライト１（表・裏）は、ケース２の内部にＬＥＤ基板４・５を埋め込み、導光版３のエッジにＬＥＤ基板４・５が当たるように導光版３をはめ込んだ後に、電源ＳＷ９と充電用ジャック８を取り付け、リチュウム電池７及び、プリント基板６をケース３に挿入する。
【考案の効果】
【００１０】本考案に係るＬＥＤライト１は軽量コンパクトなケース２にすべて埋め込まれている為、持ち運びが楽である。
【００１１】暗い夜道などの帰り道に、後ろから車が来るとき、現行のＬＥＤライトは、ＬＥＤをそのまま点灯している為、ＬＥＤの認識が遠方でできないが、本ＬＥＤライトは、歩行に合わせ、ＬＥＤが面で点灯するためかなり遠方から人の歩行を認識でき、注意を促せられる
【００１２】また、振動センサーが内蔵されている為、万歩計の機能も設けて、ＬＥＤライトにあるＵＳＢコネクタ１０経由でパソコン等につないでカロリーや歩数が確認でき、肥満対策に役立てられる。
【図面の簡単な説明】
【００１３】
【図１】本案件全体の斜図である
【図２】図１の内部の透視図である。
【図３】ランドセルに取り付けたイメージ図
【考案を実施するための形態】
本案件のＬＥＤライト１は、学童が携帯し安全に通学することを前提に考案したもので、立方体をしていてランドセルに取り付ける様になっている。ＬＥＤライト１のスリットにバンドを通してランドセルに取り付けられるようにする。
【実施例】
【００１４】以下、図面添付に従って実施例を説明する。１０は学童が使用しているランドセルのイメージ図である。ランドセル１１に本案件のＬＥＤライトをバンド１０で取り付ける。ＬＥＤライト１にある電源ＳＷ９をオンすることでリチュウム電池７の電源がプリント基板６に供給され、プリント基板に搭載されている振動センサーで学童の歩行に同期しＬＥＤ基板４・５が点灯し導光板を経由し面発光を行う。【００１５】また、プリント基板６に搭載されている振動センサーを利用して歩行数をカウントできる機能も搭載し、ＬＥＤライト本体１に実装しているＵＳＢコネクタ１０経由でパソコン等に結果を渡すことで一日の歩数等を家族で共有することで肥満対策にも役立つ。
【符号の説明】
【００１６】１        ＬＥＤライト本体
２        本体ケース
３        導光板
４        ＬＥＤ基板（Ｒ）
５        ＬＥＤ基板（Ｌ）
６        プリント基板
７        リチュウム電池
８        充電用ＤＣジャック
９        電源ＳＷ
１０      ＵＳＢコネクタ
１１      本体固定バンド
１２      ランドセル
【図１】
0003219643.tif 000003
【図２】
0003219643.tif 000004
【図３】
0003219643.tif 000005
【手続補正書】
【提出日】平成30年2月15日(2018.2.15)
【手続補正１】
【補正対象書類名】実用新案登録請求の範囲
【補正対象項目名】全文
【補正方法】変更
【補正の内容】
【実用新案登録請求の範囲】
【請求項１】
学校帰りや、塾帰りの学童が道路を歩くとき暗い夜道などは車などに気付かれず、事故などにまきこまれることがあり、このような危険を緩和するため、学童のランドセルに携帯できるＬＥＤ点灯装置で、振動センサーを有し学童の動きに合わせＬＥＤが点灯し、運転者等に注意を喚起できるＬＥＤ点灯は導光版をつかい面全体が発光し夜道でも目立つことになる。
【請求項２】
電源はリチュウムイオン電池を使用しプリント基板で昇圧しＬＥＤを点灯させることで低消費電力タイプとなり長時間の点灯ができ、電池は充電式の為、充電することで何度も使用が可能なことを特徴とするＬＥＤ点灯装置。
【請求項３】
前述、ＬＥＤ点灯装置のプリント基板に振動センサーとマイコンを搭載することで、学童の一日の歩数をカウントすることで肥満に対する注意を促すことができる。
【手続補正書】
【提出日】平成30年6月8日(2018.6.8)
【手続補正１】
【補正対象書類名】実用新案登録請求の範囲
【補正対象項目名】全文
【補正方法】変更
【補正の内容】
【実用新案登録請求の範囲】
【請求項１】
学校帰りや、塾帰りの学童が道路を歩くとき暗い夜道などは車などに気付かれず、事故などにまきこまれることがあり、このような危険は学童のランドセルに携帯できるＬＥＤ点灯装置で緩和する、ＬＥＤ点灯装置は小型ケースの一面に導光板を有して小型ケース内部には、制御基板、ＬＥＤ、リチュウムイオン電池を内蔵している、制御基板には振動センサーを設け学童の動きに合わせＬＥＤが点灯する、ＬＥＤ点灯は導光板をつかい面全体が非常に明るく発光し夜道でも目立ち遠方の運転者に人がいることを注意させることができる。
【請求項２】
電源はリチュウムイオン電池を使用し制御基板で昇圧しＬＥＤを点灯させることで低消費電力タイプとなり長時間の点灯ができ、電池は充電式の為、充電することで何度も使用が可能なことを特徴とするＬＥＤ点灯装置。
【手続補正書】
【提出日】平成30年10月4日(2018.10.4)
【手続補正１】
【補正対象書類名】実用新案登録請求の範囲
【補正対象項目名】全文
【補正方法】変更
【補正の内容】
【実用新案登録請求の範囲】
【請求項１】
ランドセルに携帯し夜道など暗い場所での事故を緩和するための学童用安全ライトであって、学童用安全ライトのケースの一面に導光板を有し、前記ケースには、前記導光板のエッジに当たるように埋め込まれたＬＥＤ基盤と、学童の動きに合わせてＬＥＤが点滅するように振動センサーを搭載したプリント基板とが設けられていることを特徴とする、学童用安全ライト。
【請求項２】
前記学童用安全ライトには、前記プリント基板へ電力を供給するためのリチュウムイオン電池と、リチュウムイオン電池を充電するための充電用ジャックが設けられていることを特徴とする、請求項１に記載の学童用安全ライト。